(57)【要約】【課題】ゴミ保護ネットを容易且つ確実に収納することにより、周囲の景観を良好に保ち、作業負担を軽減できる保護ネット収納装置を提供する。【解決手段】ゴミ保護ネット１１と、該保護ネット１１を収納する収納部４と、保護ネット１１を収納部４内に取り込むと共に保護ネット１１の外部への引き出しを許容する引き込み装置１７を備えたことを特徴とする。【選択図】　　図１
2004051316.tif 000002
【特許請求の範囲】
【請求項１】
ゴミ保護ネットと、該保護ネットを収納する収納部と、保護ネットを収納部内に取り込むと共に保護ネットの外部への引き出しを許容する引き込み装置を備えたことを特徴とする保護ネット収納装置。
【請求項２】
移動自在であることを特徴とする請求項１に記載の保護ネット収納装置。
【請求項３】
保護ネットを引き上げながら収納部に取り込むことを特徴とする請求項１又は請求項２に記載の保護ネット収納装置。
【請求項４】
取り込まれた保護ネットが折り返された状態で収納されることを特徴とする請求項１又は請求項２に記載の保護ネット収納装置。
【請求項５】
収納部には、保護ネットの取り込み及び引き出し用の開口を開閉する扉が設けられていることを特徴とする請求項１〜請求項４の何れかに記載の保護ネット収納装置。
【請求項６】
前記保護ネットの周縁に錘が設けられていることを特徴とする請求項１〜請求項５の何れかに記載の保護ネット収容装置。
【発明の詳細な説明】
【０００１】
【発明の属する技術分野】
この発明は、一般生活ゴミの集積場等に用いられるゴミ保護ネットの収納装置に関するものである。
【０００２】
【従来の技術】
集積場における一般生活ゴミに保護ネットを被せることで、鳥や犬猫によるゴミの散乱を防止する場合がある。
この保護ネットは、所定のゴミ収集日において、ゴミが出されてから回収されるまでの間のみ必要なものであって、それ以外の時は、通常、集積場が設けられた道路脇等に寄せて載置しておいたり、管理者を決めて保護ネットの設置、回収及び保管を行うようにしている。
【０００３】
【発明が解決しようとする課題】
しかしながら、道路脇に保護ネットを載置したままでは見苦しく、また、盗難の虞があるという問題がある。
また、ゴミ収集日毎の保護ネットの設置、回収及び保管を行うことは、管理者にとって作業負担が大きいという問題がある。
そこで、この発明は、ゴミ保護ネットを容易且つ確実に収納することにより、周囲の景観を良好に保ち、作業負担を軽減できる保護ネット収納装置を提供するものである。
【０００４】
【課題を解決するための手段】
上記課題を解決するために、請求項１に記載した発明は、ゴミ保護ネットと、該保護ネットを収納する収納部と、保護ネットを収納部内に取り込むと共に保護ネットの外部への引き出しを許容する引き込み装置を備えたことを特徴とする。このように構成することで、保護ネットを収納できると共に、引き込み装置により、保護ネットを直接取り扱うことなく取り込み及び引き出しを行うことが可能となる。
【０００５】
請求項２に記載した発明は、請求項１に記載された保護ネット収納装置が、移動自在であることを特徴とする。
このように構成することで、ゴミ集積場の状況等にあわせて所望の場所に移動させることが可能となる。
【０００６】
請求項３に記載した発明は、保護ネットを引き上げながら収納部に取り込むことを特徴とする。
このように構成することで、保護ネットを引きずることなく収納部内に取り込むことができ、また、保護ネットの自重を利用して収納部内から引き出すことが可能となる。
【０００７】
請求項４に記載した発明は、取り込まれた保護ネットが折り返された状態で収納されることを特徴とする。
このように構成することで、保護ネットの収納空間を縮小して小型化することが可能となる。
【０００８】
請求項５に記載した発明は、収納部には、保護ネットの取り込み及び引き出し用の開口を開閉する扉が設けられていることを特徴とする。
このように構成することで、保護ネットを収納部内に収納した後に、外部から隠した状態で保管することが可能となる。
【０００９】
請求項６に記載した発明は、前記保護ネットの周縁に錘が設けられていることを特徴とする。
このように構成することで、猫やカラス等が保護ネットの内部に侵入することを防止すると共に、保護ネットを引き上げながら取り込む又は折り返して取り込む際に、錘によるテンションを加えることが可能となる。
【００１０】
【発明の実施の形態】
以下、この発明の実施の形態を図面と共に説明する。
図１〜図４は、この発明の第１実施形態を示す。
図１に示す保護ネット収納装置１はベース部２を備えている。このベース部２は、例えば厚板鋼板を方形に形成したものであり、各頂部が設置地盤Ｇに立設されたボルト５及びナット６等により所定位置に固定されている。
ベース部２の略中央には、略円筒状の例えばアルミ（鋼板、樹脂でもよい）からなる収納部４が立設されている。この収納部４は、例えば街灯のポール程度の太さ（例えば直径約１００ｍｍ）を有しており、その背後には、収納部４より細身の例えば角形鋼管製の支柱３が配置されている。
【００１１】
支柱３は、その底部がベース部２上に接合され、上端部８が閉塞されたもので、この支柱３前部の上下に渡って収納部４が接合されている。また、収納部４の上端部７は球状に形成されて閉塞されている。
また、収納部４の下部前側には開口１０が形成され、この開口１０の側縁には扉９が水平方向に回動可能に支持されている（図３参照）。
そして、収納部４の内部には、保護ネット１１が吊下された状態で収納されている。
【００１２】
保護ネット１１は、例えば正方形状に切断されたポリエチレン製（他の材質でもよい）の網であり、図２に示すように、その略中央に吊下部１２が設けられている。この吊下部１２がワイヤ１３の巻き出し側の端部に吊下され、収納部４の上部まで引き上げられて、保護ネット１１全体が絞られた状態で収納部４内に収納されている。
保護ネット１１の周縁には、複数の錘１４が略等間隔で設けられており、保護ネット１１収納時には、保護ネット１１の最下部に密集した状態で配設されている。尚、収納時の保護ネット１１の最下部は、ベース部２から十分離間するように設定されている。
【００１３】
保護ネット１１を吊下するワイヤ１３は、収納部４内の上部に配設される滑車１５に巻回され、巻き取り側の端部が下方に向かって折り返しされている。
滑車１５は、アーム１６を介して支柱３に支持されており、上記巻き取り側の端部は、支柱３の上下方向中央付近に配置される巻き胴１８に連結され巻き取られている。従って、保護ネット１１は、支柱３に吊下されることとなる。
【００１４】
ここで、図３に示すように、巻き胴１８は、支柱３の両側壁１９，１９を貫通すると共にその軸方向で回転自在に支持されている。また、巻き胴１８の軸方向の一端側には、巻き胴１８を回転操作するためのハンドル２０が連結されている。
更に、ハンドル２０の基端側には、つめ車２１が巻き道１８と同軸に連結され、且つ支柱３の側壁１９には、つめ車２１の外周部に干渉するつめ２２が揺動可能に取り付けられている（図１参照）。これらつめ車２１及びつめ２２によって、巻き胴１８はワイヤ１３の巻き出し方向の回転が規制されている。
ここで、巻き胴１８、ハンドル２０、つめ車２１及びつめ２２により、逆転止めがなされた引き込み装置１７が構成されている。また、引き込み装置１７の逆転止めは、つめ２２を操作することで解除可能とされている。
【００１５】
保護ネット１１の吊下部１２の上方には、保護ネット１１が収納部４に収納された状態、つまり、保護ネット１１の最下部がベース部２から十分離間した状態まで引き上げられた時に、巻き胴１８と干渉してワイヤ１３の巻き上げを停止させるストッパ２３が、ワイヤ１３上に配設されている（図２参照）。従って、保護ネット１１収納時には、ワイヤ１３はストッパ２３が滑車１５に達するまで巻き胴１８に巻き取られた状態となっている。
そして、保護ネット１１使用時には、図４に示すように、錘１４が接地すると共に保護ネット１１が十分弛んだ状態となるまでワイヤ１３を巻き出すことで、保護ネット１１内にゴミＺが収納可能な状態となる。
【００１６】
次に、作用について説明する。
まず、収納部４の扉９を開き、引き込み装置１７のつめ２２を操作して逆転止めを解除すると、収納部４内に収納されていた保護ネット１１が自重により落下して、ベース部２上に自然に引き出される。つまり、保護ネット１１に触れることなく収納部４から引き出すことができる。
そして、保護ネット１１の錘１４が接地し、保護ネット１１が十分弛んだ状態として、つめ２２をつめ車２１に再セットし、巻き胴１８を停止させる。その後、通常通り保護ネット１１内にゴミＺを収納することができる。この時、錘１４により、猫等の小動物が保護ネット１１の下縁をめくって内部に侵入することを防止できる。
尚、ゴミＺの大きさや量によって、保護ネット１１の弛み具合を変えたい場合は、再度つめ２２を操作してワイヤ１３の巻き出し量を調整すればよい。
【００１７】
ゴミＺ収集後には、ハンドル２０を操作してワイヤ１３を巻き取ることで、保護ネット１１の吊下部１２が引き上げられ、錘によるテンションによってコンパクトに絞られながら開口１０より収納部４内に収納されていく。つまり、保護ネット１１に触れることなく収納部４内に収納することができる。
そして、ワイヤ１３のストッパ２３が滑車１５まで達した時点でハンドル２０操作を停止し、扉９を閉じることで保護ネット１１の収納作業が完了する。
【００１８】
上述した第１の実施の形態によれば、保護ネット１１の設置及び回収作業を、保護ネット１１に触れることなく容易且つ確実に行うことができる。
また、保護ネット１１が外部から隠された状態で収納されるため、周囲の景観を乱さず且つ衛生的に保護ネット１１を保管することができる。更に、扉９を施錠することにより、保護ネット１１のいたずらや盗難を防止できる。
また、収納部４が街灯のポール程度の太さに形成されているため、道路脇に設置した場合でも交通の妨げになることはない。
尚、ベース部２にキャスタ等を設けることにより、保護ネット収容装置１を移動可能とすしてもよい。また、ベース部２を無くし、設置地盤Ｇに直接支柱３を立設するようにしてもよい。また、支柱３を覆うカバーを設けるようにしてもよい。
【００１９】
次に、この発明の第２実施形態を図５〜図８に基づいて説明する。
図５に示す保護ネット収納装置５１は、箱型の収納部５２の下部両側に車輪５３，５３を設けて移動自在に構成したものであり、例えばゴルフカート程度の大きさ（例えば幅４００ｍｍ〜５００ｍｍ、高さ１０００ｍｍ〜１２００ｍｍ、奥行き４００ｍｍ〜５００ｍｍ）を有するものである。
収納部５２は、第１実施形態と同様、アルミ（鋼板、樹脂でもよい）で構成され、前壁部分には開口５５が形成され、この開口５５の両側縁には、各々扉５４，５４が水平方向に開閉自在に支持されている。
【００２０】
収納部５２の両側壁５６，５６の下部外側に設けられた車輪５３，５３は、保護ネット収納装置５１を移動自在とすると共に、下壁５７前部に設けられた一対の支持脚５８，５８及び後壁５９下部に設けられた一対の脚部６０，６０とあわせて、保護ネット収納装置５１を定置可能としている。
そして、収納部５２内には、保護ネット６１が折り返された状態で収納されている。
【００２１】
保護ネット６１は、第１実施形態と同様、ポリエチレン製（他の材質でもよい）の網であり、図６に示すように、その略中央部に牽引管６２が取り付けられている。この牽引管６２は収納部５２内の収納スペースの幅に対応する長さを有しており、その両端部にワイヤ６３の巻き出し側の端部が連結されている。そして、牽引管６２を介してワイヤ６３で保護ネット６１を牽引すると、保護ネット６１が収納スペースに対応する幅に萎縮するようにされている。
そして、牽引された保護ネット６１が、収納部５２の幅方向に延設される吊下軸６４を挟み込むように折り返され、牽引管６２が収納部５２の下部まで引き込まれた状態で収納されている。
また、保護ネット６１の周縁には、第１実施形態と同様、複数の錘６５が設けられ、収納時の保護ネット６１の最下部に密集した状態で配設されている。尚、収納時の保護ネット６１の最下部は、収納部５２の下壁５７から十分離間するように設定されている。
【００２２】
牽引管６２の両端に連結されたワイヤ６３は、収納部５２の下部に設けられた滑車６６，６６に各々巻回されている。ワイヤ６３の巻き取り側の端部は上方に向かって折り返し、収納部５２の上部であって前記吊下軸６４と同軸に設けられた巻き取りホルダ６７，６７に各々連結され巻き取られている。
また、収納部５２の後壁５９には、保護ネット収納装置５１の移動時に用いられる一対の把持部６８，６８が設けられ、これらの下方には、保護ネット収納装置５１定置時における転倒防止用の脚部６０，６０が設けられている。尚、各把持部６８及び脚部６０は各々可倒式に構成され、これらを使用しない場合には折り畳んで、収納部５２からの突出量を抑えるようにされている。
【００２３】
ここで、図７に示すように、吊下軸６４は、収納部５２の両側壁５６，５６を貫通すると共にその軸方向で回転自在に支持されている。吊下軸６４の両側であって収納部５２内には、ワイヤ６３の巻き取りホルダ６７，６７が連結されており、吊下軸６４と連動可能とされている。尚、両側壁５６，５６の内面には、巻き取りホルダ６７，６７の内側に向かって屈曲成型される隔壁６９，６９が設けられている。
また、吊下軸６４の軸方向の一端側には、第１実施形態と同様の構成を有するハンドル７０、つめ車７１及びつめ７２が設けられている（図５参照）。これらつめ車７１及びつめ７２によって、吊下軸６４及び各巻き取りホルダ６７は、ワイヤ６３の巻き出し方向の回転が規制されている。ここで、吊下軸６４、各巻き取りホルダ６７、ハンドル７０、つめ車７１及びつめ７２により、逆転止めがなされた引き込み装置７３が構成されている。
【００２４】
保護ネット６１収納時には、ワイヤ６３は牽引管６２が滑車６６に干渉して停止するまで巻き取りホルダ６７にに巻き取られた状態、つまり、保護ネット６１の最下部が収納部５２の下壁５７から十分離間した状態となっている。
そして、保護ネット６１使用時には、図８に示すように、錘６５が接地すると共に保護ネット６１が十分弛んだ状態となるまでワイヤ６３を巻き出すことで、保護ネット６１内にゴミＺが収納可能とされている。尚、牽引管６２が巻き取りホルダ６７に干渉して停止した状態が保護ネット６１の最大引き出し状態となる。
【００２５】
次に、作用について説明する。
まず、収納部５２の扉５４を開き、引き込み装置７３のつめ７２を操作し逆転止めを解除して、収納部５２内に収納されている保護ネット６１を引き出す。この時、保護ネット６１は牽引管６２により略一定幅で比較的規則正しく収納されているため、保護ネット６１の引き出しが容易に行える。
そして、保護ネット６１の錘６５が接地し、保護ネット６１が十分弛んだ状態として、つめ７２をつめ車７１に再セットし、巻き取りホルダ６７を停止させる。その後、通常通り保護ネット６１内にゴミＺを収納することができる。この時、錘６５により、猫等の小動物が保護ネット１１の下縁をめくって内部に侵入することを防止できる。
尚、第１実施形態と同様、ゴミＺの大きさや量によってワイヤ６３の巻き出し量を調整し、保護ネット６１の弛み具合を変えることができる。
【００２６】
ゴミＺ収集後には、ハンドル７０を操作してワイヤ６３を巻き取ることで、保護ネット６１が錘によるテンションによってコンパクトに絞られながら開口５５より収納部５２内に引き込まれていく。保護ネット６１は吊下軸６４上で折り返して下方の滑車６６に向かって引き込まれていくが、吊下軸６４は巻き取りホルダ６７と共に保護ネット６１を引き込む方向に回転するため、保護ネット６１の収納がスムーズに行われる。
そして、牽引管６２が滑車６６まで達した時点でハンドル７０の操作を停止し、扉５４を閉じることで保護ネット６１の収納作業が完了する。
【００２７】
上述した第２の実施の形態によれば、保護ネット６１への接触を最小限に抑えて、保護ネット６１の設置及び回収作業を容易且つ確実に行うことができる。
また、第１実施形態と同様、周囲の景観を乱さず且つ衛生的に保護ネット６１を保管できると共に、扉５４に施錠することで保護ネット６１のいたずらや盗難を防止できる。
また、この保護ネット収納装置５１は移動自在に構成されているため、周辺の状況にあわせて定置場所を容易に変更できると共に、保護ネット収納装置５１を常設できないような地域においても利用することができる。
【００２８】
尚、この発明は上記第１、第２の実施の形態に限られるものではなく、例えば、引き込み装置１７，７３の駆動を電動（太陽電池等の省エネルギー電源の使用も含む）としてもよい。また、例えばワイヤ１３，６３を引き出した時に弾性体によるテンションが掛かるようにし、半自動的に巻き取るようにしてもよい。この時、引き込み操作用にボタンやペダル等を用いることができる。
更に、保護ネット１１，６１を引き上げ又は折り返して収納しているが、これを巻き取るようにして収納してもよい。そして、保護ネット１１，６１には、再利用した魚網等を用いてもよい。
ここで、保護ネット収容装置１，５１の使用形態として、メンテナンスを含んだ契約で自治体等に一定期間貸し出すというリース形式としてもよい。
【００２９】
【発明の効果】
以上説明してきたように、請求項１に記載した発明によれば、保護ネットを収納することができ、周囲の景観を良好に保つことができる効果がある。
また、引き込み装置により、保護ネットを直接取り扱うことなく取り込み及び引き出しを行うことが可能となるため、保護ネットの設置及び回収作業を衛生的且つ容易なものとして負担を軽減できる効果がある。
【００３０】
請求項２に記載した発明によれば、ゴミ集積場の状況等にあわせて所望の場所に移動させることが可能となるため、常設できないような場所においても使用できる効果がある。
【００３１】
請求項３に記載した発明によれば、保護ネットを引きずることなく収納部内に取り込むことができるため、ネットに汚れが付着し難く、衛生的に収納できる効果がある。
また、保護ネットの自重を利用して収納部内から引き出すことができるため、保護ネットの設置作業をより衛生的且つ容易なものとすることができる効果がある。
【００３２】
請求項４に記載した発明によれば、保護ネットの収納空間を縮小して小型化することが可能となるため、設置スペースを縮小できると共に、設置自由度を増加させる効果がある。
【００３３】
請求項５に記載した発明によれば、保護ネットを収納部内に収納した後に、外部から隠した状態で保管することが可能となるため、周辺の景観を良好に保つと共に、いたずらや盗難を防止できる効果がある。
【００３４】
請求項６に記載した発明によれば、猫やカラス等が保護ネットの内部に侵入することを防止して、ゴミの散乱を無くす効果がある。
また、保護ネットを引き上げながら取り込む又は折り返して取り込む際に、錘によるテンションを加えることが可能となるため、保護ネットをコンパクトに収容できる効果がある。
【図面の簡単な説明】
【図１】この発明の第１実施形態の斜視図である。
【図２】図１のＡ−Ａ線に沿う断面図である。
【図３】図１のＢ−Ｂ線に沿う断面図である。
【図４】保護ネット使用時の図２に相当する断面図である。
【図５】この発明の第２実施形態の斜視図である。
【図６】図５のＣ−Ｃ線に沿う断面図である。
【図７】図５のＤ−Ｄ線に沿う断面図である。
【図８】保護ネット使用時の図６に相当する断面図である。
【符号の説明】
１，５１　保護ネット収納装置
４，５２　収納部
９，５４　扉
１０，５５　開口
１１，６１　保護ネット
１３，６３　ワイヤ
１７，７３　引き込み装置
５３　車輪
【図１】
2004051316.tif 000003
【図２】
2004051316.tif 000004
【図３】
2004051316.tif 000005
【図４】
2004051316.tif 000006
【図５】
2004051316.tif 000007
【図６】
2004051316.tif 000008
【図７】
2004051316.tif 000009
【図８】
2004051316.tif 000010